Podtech/llm-jp-corpus-v4-ja_patent huggingface dataset:
【誤訳訂正書】
【提出日】平成24年3月6日(2012.3.6)
【誤訳訂正１】
【訂正対象書類名】明細書
【訂正対象項目名】００１５
【訂正方法】変更
【訂正の内容】
【００１５】
１つの好ましい実施形態において、前記アンテナアセンブリの前記素子は、第１のサブアレイ、第２のサブアレイ、および第３のサブアレイに構成され、前記アンテナシステムは、
前記第１のサブアレイに供給される信号の位相を制御する第１の制御手段と、
前記第３のサブアレイに供給される信号の位相を制御する第３の制御手段と、
前記第１および第３のサブアレイに供給される信号の位相の所定の関数に応じて、前記第２のサブアレイに供給される信号の位相を自動的に制御するように構成された第２の制御手段とを備える。
【誤訳訂正２】
【訂正対象書類名】明細書
【訂正対象項目名】００１６
【訂正方法】変更
【訂正の内容】
【００１６】
有利には、前記所定の関数は、前記第１および第３のサブアレイに供給される信号の位相のベクトル合計である。
【誤訳訂正３】
【訂正対象書類名】明細書
【訂正対象項目名】００１７
【訂正方法】変更
【訂正の内容】
【００１７】
前記第２の制御手段は、好ましくは、コンバイナユニットを含むことができ、このコンバイナユニットは、前記第１のサブアレイに供給される信号の位相を有する第１の入力信号、および前記第３のサブアレイに供給される信号の位相を有する第２の入力信号を受信し、かつ前記第１および第３のサブアレイに供給される信号の位相の所定の関数に応じて、第２のサブアレイに出力信号を提供する。
【誤訳訂正４】
【訂正対象書類名】明細書
【訂正対象項目名】００１８
【訂正方法】変更
【訂正の内容】
【００１８】
一実施形態において、所定の関数は、前記第１および第３のサブアレイに供給される信号の位相のベクトル合計である。
【誤訳訂正５】
【訂正対象書類名】明細書
【訂正対象項目名】００１９
【訂正方法】変更
【訂正の内容】
【００１９】
さらなる好ましい実施形態において、第２の制御手段は、少なくとも１つの直角位相（ｑｕａｄｒａｔｕｒｅ）コンバイナユニットを含み、この直角位相コンバイナユニットは、第１のサブアレイに供給される信号の位相を有する第１の入力信号と、前記第３のサブアレイに供給される信号の位相を有する第２の入力信号とを受信し、かつ第２のサブアレイの１つの素子に第１の出力信号と、第２のサブアレイの異なる素子に第２の出力信号とを提供し、前記第１および第２の出力信号が、第１および第２の入力信号の位相の所定の関数に応じる。
【誤訳訂正６】
【訂正対象書類名】明細書
【訂正対象項目名】００３０
【訂正方法】変更
【訂正の内容】
【００３０】
好ましくは、前記アンテナアセンブリの前記素子は、第１、第２、および第３のサブアレイに構成され、前記アセンブリは、
前記第１のサブアレイに供給される信号の位相を制御する第１の制御手段と、
前記第３のサブアレイに供給される信号の位相を制御する第３の制御手段とを含み、
前記第２の制御手段は、前記第１および第３のサブアレイに供給される前記信号の位相の所定の関数に応じて、前記第２のサブアレイに供給される前記信号の位相を自動的に制御するように構成される。
【誤訳訂正７】
【訂正対象書類名】明細書
【訂正対象項目名】００３１
【訂正方法】変更
【訂正の内容】
【００３１】
有利には、所定の関数は、前記第１および第３のサブアレイに供給された信号の位相のベクトル合計である。
【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能な遊技機であって、
遊技媒体を検出する第１検出部と、
該第１検出部にて遊技媒体を検出したときに第１の検出信号を出力する第１遊技媒体検出手段と、
前記第１検出部より下流に配置され、遊技媒体を検出する第２検出部と、
該第２検出部にて遊技媒体を検出したときに第２の検出信号を出力する第２遊技媒体検出手段と、
前記第１遊技媒体検出手段から入力した前記第１の検出信号と前記第２遊技媒体検出手段から入力した前記第２の検出信号とにもとづいて通過数に異常が生じたか否かを判定する通過異常判定手段と、
前記通過異常判定手段が通過数に異常が生じたと判定したときに、当該遊技機をエラー状態に移行させるエラー制御手段とを備え、
前記第１検出部と前記第２検出部とを互いに異なる検出方式のセンサにより構成した
ことを特徴とする遊技機。
【手続補正２】
【補正対象書類名】明細書
【補正対象項目名】００１０
【補正方法】変更
【補正の内容】
【００１０】
本発明による遊技機は、遊技媒体（例えば、遊技球）を用いて遊技者が所定の遊技を行うことが可能な遊技機であって、遊技媒体を検出する第１検出部（例えば、近接スイッチにおけるコイルＬ）と、第１検出部にて遊技媒体を検出したときに第１の検出信号を出力する第１遊技媒体検出手段（例えば、近接スイッチにおける信号出力部（検出信号を出力する遊技媒体検出手段：電源、コイルＬ、抵抗ＲおよびコンデンサＣに相当））と、第１検出部より下流に配置され、遊技媒体を検出する第２検出部（例えば、フォトトランジスタ３４２の入力部）と、第２検出部にて遊技媒体を検出したときに第２の検出信号を出力する第２遊技媒体検出手段（例えば、フォトトランジスタ３４２の出力部）と、第１遊技媒体検出手段から入力した第１の検出信号と第２遊技媒体検出手段から入力した第２の検出信号とにもとづいて通過数に異常が生じたか否かを判定する通過異常判定手段（例えば、遊技制御用マイクロコンピュータ５６０において、図５８に示すスイッチ処理や図５９に示すスステップＳ１２１〜Ｓ１２７の処理を実行する部分）と、通過異常判定手段が通過数に異常が生じたと判定したときに、遊技機をエラー状態に移行させるエラー制御手段（例えば、遊技制御用マイクロコンピュータ５６０において、ステップＳ１２８の処理を実行する部分）とを備え、第１検出部と第２検出部とを互いに異なる検出方式のセンサ（例えば、第１検出部の遊技媒体の検出方式を電磁式にし、第２検出部の遊技媒体の検出方式を光学式にする。）により構成したことを特徴とする。
そのような構成によれば、遊技媒体を検出する検出手段に対する不正行為をより確実に検知して、確実な不正行為対策を講ずることができる。
【手続補正３】
【補正対象書類名】明細書
【補正対象項目名】００１１
【補正方法】変更
【補正の内容】
【００１１】
遊技の進行を制御する遊技制御処理を実行する遊技制御手段（例えば、遊技制御用マイクロコンピュータ５６０）と、遊技領域に設けられている複数の通過領域（例えば、可変入賞球装置１５、入賞口２９，３０，３３，３９、大入賞口）のいずれかを遊技媒体が通過したことにもとづいて景品として景品遊技媒体を払い出す払出手段（例えば、球払出装置９７）を制御する払出制御処理を実行する払出制御手段（例えば、払出制御用マイクロコンピュータ３７０）とを備え、第１検出部および第１遊技媒体検出手段（例えば、始動口スイッチ１４ａ、カウントスイッチ２３および入賞口スイッチ２９ａ，３０ａ，３３ａ，３９ａ）は複数の通過領域の各々に対応して設けられ、第２検出部および第２遊技媒体検出手段（例えば、全入賞計数スイッチ３４）は複数の通過領域を通過した遊技媒体を一括して検出する位置に配置され、遊技制御手段は、第１遊技媒体検出手段からの第１の検出信号にもとづいて、払い出すべき景品遊技媒体の数を示す払出数データを払出制御手段に送信する払出数データ送信手段（例えば、遊技制御用マイクロコンピュータ５６０において、図４４や図５８に示すスイッチ処理およびステップＳ２１２０，Ｓ２１２１，Ｓ５０６，Ｓ５０８の処理を実行する部分）を備え、払出制御手段は、払出数データ送信手段により送信された払出数データにもとづいて、払出手段を駆動して景品遊技媒体を払い出させる払出制御を実行する景品遊技媒体払出制御手段（払出制御用マイクロコンピュータ３７０において、ステップＳ５４６，Ｓ６１０〜Ｓ６１２の処理を実行する部分）を含むように構成されていてもよい。
そのような構成によれば、遊技媒体を検出する検出手段に対する不正行為をより確実に検知して、さらに確実な不正行為対策を講ずることができる。
【手続補正書】
【提出日】平成24年5月15日(2012.5.15)
【手続補正１】
【補正対象書類名】特許請求の範囲
【補正対象項目名】全文
【補正方法】変更
【補正の内容】
【特許請求の範囲】
【請求項１】
１ステップ単位で入力されるパルス信号に従って回転駆動され、該回転駆動によって当該撮影装置の可動部を駆動するステッピングモータと、
上記ステッピングモータの上記１ステップの駆動量に対応する幅を１単位とし、該１単位の整数倍の幅を有するスリット孔であって、２種類以上の異なる幅のスリット孔が形成され、上記ステッピングモータの回転駆動に伴って回転する回転体と、
上記スリット孔の有無を読み取って、該スリット孔の有無を示す信号を出力する読取部と、
上記読取部からの上記スリット孔の有無を示す信号の期間を検出し、該期間に基づいて、上記ステッピングモータが正常動作しているか否かを判断する制御部と、
を具備することを特徴とする撮影装置。
【請求項２】
上記スリット孔の幅と上記スリット孔の間隔の合計の整数倍は、上記ステッピングモータの１回転のステップ数と一致していることを特徴とする請求項１に記載の撮影装置。
【請求項３】
上記回転体の上記２種類以上の異なる幅のスリット孔のうち、少なくとも１つのスリット孔の幅と他のスリット孔の幅との差が２ステップ分よりも大きいことを特徴とする請求項１に記載の撮影装置。
【請求項４】
上記制御部は、上記読取部の出力するスリット孔を示す信号の期間を、上記スリット孔の幅に基づいて算出した時間と比較して上記ステッピングモータが正常動作しているか否かを判断することを特徴とする請求項１に記載の撮影装置。
【請求項５】
上記制御部は、上記ステッピングモータを一定速度で移動させている際に、上記ステッピングモータが正常動作しているか否かを判断することを特徴とする請求項４に記載の撮影装置。
【手続補正２】
【補正対象書類名】明細書
【補正対象項目名】０００９
【補正方法】変更
【補正の内容】
【０００９】
上記の目的を達成するために、本発明の第１の態様の撮影装置は、１ステップ単位で入力されるパルス信号に従って回転駆動され、該回転駆動によって当該撮影装置の可動部を駆動するステッピングモータと、上記ステッピングモータの上記１ステップの駆動量に対応する幅を１単位とし、該１単位の整数倍の幅を有するスリット孔であって、２種類以上の異なる幅のスリット孔が形成され、上記ステッピングモータの回転駆動に伴って回転する回転体と、上記スリット孔の有無を読み取って、該スリット孔の有無を示す信号を出力する読取部と、上記読取部からの上記スリット孔の有無を示す信号の期間を検出し、該期間に基づいて、上記ステッピングモータが正常動作しているか否かを判断する制御部とを具備することを特徴とする。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
細径先端部を有する対物光学系と、該対物光学系により集光された光を観察するための観察光学系との間に配置される位置調整ユニットと、生体に一端が固定され、前記細径先端部を内部に挿脱可能に支持する略筒状の支持ユニットとを備え、  
前記位置調整ユニットが、前記対物光学系を保持する保持部と、該保持部を前記対物光学系の光軸方向と交差する方向に移動自在に支持する移動機構とを備え、
前記支持ユニットが、その他端に、先端に向かって漸次径寸法が大きくなるテーパ状の内面を有する対物光学系位置調整装置。
【請求項２】
前記保持部により保持された前記対物光学系の光軸の位置を、前記観察光学系の光軸の位置に一致するように調整する光軸調整手段を備える請求項１に記載の対物光学系位置調整装置。
【請求項３】
前記保持部の移動を規制する規制手段を備える請求項１または請求項２に記載の対物光学系位置調整装置。
【請求項４】
前記移動機構が、前記対物光学系の光軸方向に略垂直な平面内において互いに垂直な方向に前記保持部を案内する２つの直線ガイドを備える請求項１または請求項２に記載の対物光学系位置調整装置。
【請求項５】
前記直線ガイドが、ベアリング機構を備える請求項４に記載の対物光学系位置調整装置。
【請求項６】
請求項１から請求項５のいずれかに記載の対物光学系位置調整装置を備える観察装置。
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
美容を行うための電流を出力する電極部を表面に設け、前記電極部に電流を供給する電源部を内蔵すると共に、前記電極部側から伸延する把持部を形成した本体ケーシングと、開口部を有し、前記電極部を被覆した状態の液剤含浸材を前記開口部から露出させた状態で保持するカバー体とを備えた美容機器において、前記把持部の側壁面部に、使用者の身体を介して前記電極部と導通する対電極部を配設しており、前記本体ケーシングと前記カバー体とを重合させた時に、前記対電極部が配設された位置の前記カバー体の外縁は、前記本体ケーシング及び前記カバー体の左右幅方向において前記対電極部より内側に形成されていることを特徴とする美容機器。
【請求項２】
前記対電極部は、前記側壁面部に左右２つ配設しており、前記カバー体の外縁は、前記対電極部間に形成されていることを特徴とする請求項１に記載の美容機器。
【請求項３】
前記カバー体は、前記開口部が形成されたカバープレートの外縁を内側に折曲した鍔部を有することを特徴とする請求項１または２に記載の美容機器。
【請求項４】
前記液剤含浸材を押圧保持したときに、前記対電極部が配設された位置を除き前記鍔部と前記本体ケーシングの側壁面部との間に所定の間隙が形成されるように前記カバープレートの幅が規定されていることを特徴とする請求項３に記載の美容機器。
【請求項５】
前記開口部の縁に突起が形成されたことを特徴とする請求項１ないし４のいずれか１項に記載の美容機器。
【手続補正２】
【補正対象書類名】明細書
【補正対象項目名】００１２
【補正方法】変更
【補正の内容】
【００１２】
上記従来の課題を解決するために、本発明では、美容を行うための電流を出力する電極部を表面に設け、前記電極部に電流を供給する電源部を内蔵すると共に、前記電極部側から伸延する把持部を形成した本体ケーシングと、開口部を有し、前記電極部を被覆した状態の液剤含浸材を前記開口部から露出させた状態で保持するカバー体と、を備えた美容機器において、前記把持部の側壁面部に、使用者の身体を介して前記電極部と導通する対電極部を配設しており、前記本体ケーシングと前記カバー体とを重合させた時に、前記対電極部が配設された位置の前記カバー体の外縁は、前記本体ケーシング及び前記カバー体の左右幅方向において前記対電極部より内側に形成されている。
【手続補正３】
【補正対象書類名】明細書
【補正対象項目名】００１３
【補正方法】変更
【補正の内容】
【００１３】
また、本発明に係る美容機器では、以下の点にも特徴を有する。
（１）  前記対電極部は、前記側壁面部に左右２つ配設しており、前記カバー体の外縁は、前記対電極部間に形成されていること。
（２）  前記カバー体は、前記開口部が形成されたカバープレートの外縁を内側に折曲した鍔部を有すること。
（３）  前記液剤含浸材を押圧保持したときに、前記対電極部が配設された位置を除き前記鍔部と前記本体ケーシングの側壁面部との間に所定の間隙が形成されるように前記カバープレートの幅が規定されていること。
（４）  前記開口部の縁に突起が形成されたこと。
【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
釘打ちされる表面を有する透明樹脂シートと、
前記釘打ちされる表面の反対側の前記透明樹脂シート表面に、接着層を介して積層された、印刷加工が施された透明フィルムと、
を含み、
前記透明樹脂シートは、ポリカーボネート樹脂、又は、アセトン不溶部が１５〜５０質量％であるメタクリル系樹脂を含み、
前記透明フィルムの厚みが、３０〜１００μｍであり、
前記接着層の厚みと前記透明フィルムの厚みの比（接着層の厚み／透明フィルムの厚み）が、１／１．５〜１／３の範囲にある、
弾球遊技機基盤用複合シート。
【請求項２】
請求項１に記載の弾球遊技機基盤用複合シートを備えた弾球遊技機基盤であり、
前記透明樹脂シートの前記釘打ちされる表面が、釘打ちされている、
弾球遊技機基盤。
【手続補正２】
【補正対象書類名】明細書
【補正対象項目名】発明の名称
【補正方法】変更
【補正の内容】
【発明の名称】弾球遊技機基盤用複合シート及び弾球遊技機基盤
【手続補正３】
【補正対象書類名】明細書
【補正対象項目名】０００１
【補正方法】変更
【補正の内容】
【０００１】
本発明は、弾球遊技機基盤用複合シート及び弾球遊技機基盤に関する。
【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
Ｘ線源とＸ線検出手段とからなる撮影機構が被検体の周囲で回転する回転部と、該回転部を回転自在に支持する架台部と、前記架台部から前記回転部に電力を伝達する電力伝達部とを備えたＸ線ＣＴ装置であって、
前記電力伝達部は、前記架台側に配設される円環状の固定側巻線部と、前記回転部に配設されると共に、前記固定側巻線部に対向配置される円環状の回転側巻線部とを有し、
前記固定側巻線部と前記回転側巻線部が、シート巻線を備えることを特徴とするＸ線ＣＴ装置。
【請求項２】
請求項１に記載のＸ線ＣＴ装置において、
前記シート巻線は、前記固定側巻線部及び前記回転側巻線部の半径方向に１回以上折り返して配置されることを特徴とするＸ線ＣＴ装置。
【請求項３】
請求項１または２に記載のＸ線ＣＴ装置において、
前記シート巻線は、前記固定側巻線部及び前記回転側巻線部の半径方向に波型の凹凸が形成されてなることを特徴とするＸ線ＣＴ装置。
【請求項４】
請求項１乃至３のいずれか一項に記載のＸ線ＣＴ装置において、
前記電力伝達部を複数備えることを特徴とするＸ線ＣＴ装置。
【手続補正２】
【補正対象書類名】明細書
【補正対象項目名】０００９
【補正方法】変更
【補正の内容】
【０００９】
前記課題を解決すべく、Ｘ線源とＸ線検出手段とからなる撮影機構が被検体の周囲で回転する回転部と、該回転部を回転自在に支持する架台部と、前記架台部から前記回転部に電力を伝達する電力伝達部とを備えたＸ線ＣＴ装置であって、前記電力伝達部は、前記架台側に配設される円環状の固定側巻線部と、前記回転部に配設されると共に、前記固定側巻線部に対向配置される円環状の回転側巻線部とを有し、前記固定側巻線部と前記回転側巻線部が、シート巻線を備えるＸ線ＣＴ装置である。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
遊技領域に遊技球を発射することにより、所定の遊技を行うことが可能な遊技機であって、
遊技領域に設けられた第１の始動領域への遊技球の入賞に応じて成立する始動条件に基づいて、各々が識別可能な複数種類の識別情報を可変表示する可変表示装置と、
前記始動条件が成立した識別情報の可変表示の実行開始を保留する保留手段と、
前記保留手段により実行開始が保留されている識別情報の可変表示の数を記憶する保留記憶手段と、
前記始動条件に基づいて実行される識別情報の可変表示の表示結果をその導出表示以前に決定する事前決定手段と、
該事前決定手段が表示結果を予め定められた特定表示結果とすることを決定したときに前記可変表示装置に前記特定表示結果を表示した後に遊技者にとって有利な第１の特定遊技状態とする制御を実行する第１の遊技状態制御手段と、
遊技球が入賞し易い第１の状態と遊技球が入賞不能又は入賞し難い第２の状態とに変化する特定入賞装置と、
遊技領域に設けられ、前記第１の始動領域への遊技球が入賞する期待確率よりも遊技球が入賞する期待確率が低く設定された第２の始動領域への遊技球の入賞に基づいて、前記特定入賞装置を第１の状態に変化させる特定入賞装置変化手段と、
前記特定入賞装置内に設けられ、前記事前決定手段が表示結果を特定表示結果とすることを決定する確率よりも遊技球の通過確率が高く設定された特定入賞領域を前記特定入賞装置に入賞した遊技球が通過したときに、遊技者にとって有利な第２の特定遊技状態とする制御を実行する第２の遊技状態制御手段と、を備え、
前記特定入賞装置変化手段は、遊技の進行において成立する特定条件が成立したときに、前記保留記憶手段に記憶されている識別情報の可変表示の数に応じて前記特定入賞装置を第１の状態に変化させる回数を決定することを特徴とする遊技機。
【手続補正２】
【補正対象書類名】明細書
【補正対象項目名】０００８
【補正方法】変更
【補正の内容】
【０００８】
上記目的を達成するために、請求項１の発明においては、遊技領域に遊技球を発射することにより、所定の遊技を行うことが可能な弾球遊技機１０１であって、遊技領域３に設けられた第１の始動領域（第１始動入賞口５８）への遊技球の入賞（第１種始動入賞口スイッチ５８の検出）に応じて成立する始動条件に基づいて、各々が識別可能な複数種類の識別情報を可変表示する可変表示装置４４と、前記始動条件が成立した識別情報の可変表示の実行開始を保留する保留手段（遊技制御マイクロコンピュータ７１のＣＰＵ）と、前記保留手段により実行開始が保留されている識別情報の可変表示の数を記憶する保留記憶手段（遊技制御マイクロコンピュータ７１のＲＡＭ）７５と、前記始動条件に基づいて実行される識別情報の可変表示の表示結果をその導出表示以前に決定する事前決定手段（遊技制御マイクロコンピュータ７１のＣＰＵ）と、該事前決定手段が表示結果を予め定められた特定表示結果（当り）とすることを決定したときに前記可変表示装置４４に前記特定表示結果を表示した後に遊技者にとって有利な第１の特定遊技状態とする制御を実行する第１の遊技状態制御手段（遊技制御マイクロコンピュータ７１のＣＰＵ）と、遊技球が入賞し易い第１の状態（開閉片２３ａ，２３ｂが開放）と遊技球が入賞不能又は入賞し難い第２の状態（開閉片２３ａ，２３ｂが閉塞）とに変化する特定入賞装置２０と、遊技領域３に設けられ、前記第１の始動領域への遊技球が入賞する期待確率よりも遊技球が入賞する期待確率が低く設定された第２の始動領域（第２始動入賞口４ａ，４ｂ）への遊技球の入賞に基づいて、前記特定入賞装置２０を第１の状態に変化させる特定入賞装置変化手段（遊技制御マイクロコンピュータ７１のＣＰＵ）と、前記特定入賞装置２０内に設けられ、前記事前決定手段が表示結果を特定表示結果とすることを決定する確率よりも遊技球の通過確率が高く設定された特定入賞領域（特定受入口３６）を前記特定入賞装置２０に入賞した遊技球が通過したときに、遊技者にとって有利な第２の特定遊技状態とする制御を実行する第２の遊技状態制御手段（遊技制御マイクロコンピュータ７１のＣＰＵ）と、を備え、前記特定入賞装置変化手段は、遊技の進行において成立する特定条件が成立したときに、前記保留記憶手段に記憶されている識別情報の可変表示の数に応じて前記特定入賞装置を第１の状態に変化させる回数を決定する（図３のステップＳ１０９でＹＥＳのときにステップＳ１０４で保留記憶があればステップＳ１０４〜Ｓ１０９の処理を繰り返す）ことを特徴とする。
【手続補正３】
【補正対象書類名】明細書
【補正対象項目名】０００９
【補正方法】変更
【補正の内容】
【０００９】
このように構成することにより、第１種遊技における第１の始動領域への遊技球の入賞によって、第２種遊技における特定入賞装置を第１の状態に変化させることができるため、第１種遊技と第２種遊技とを関連を持たせた形で行うことができ、新たな遊技性を持たせることができる。また、この際、遊技球が入賞する期待確率が高く設定された第１の始動領域へ遊技球が入賞することにより、第２種遊技における特定入賞装置を第１の状態に変化させるものであるため、第２種遊技における大当りの確率が向上して遊技者にとって有利となる。また、保留記憶手段に記憶されている可変表示の数に応じて特定入賞装置を第１の状態に変化させる回数を決定できる。
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、前記可変表示部における識別情報の表示結果が予め定められた特定表示結果となったときに、遊技者にとって有利な特定遊技状態に制御する遊技機であって、
前記特定表示結果とするか否かを、識別情報の表示結果が導出表示される以前に決定する事前決定手段と、
前記事前決定手段の決定結果に基づいて、前記特定表示結果になることを段階的に報知するステップアップ予告演出を実行するか否かを決定するとともに、該ステップアップ予告演出を実行することが決定されたときに、１回の可変表示中に第１の演出を実行する第１パターンと前記第１の演出を実行した後の所定タイミングから第２の演出を実行する第２パターンとのいずれにより該ステップアップ予告演出を実行するかを少なくとも決定するステップアップ予告決定手段と、
前記事前決定手段の決定結果に基づいて、前記ステップアップ予告演出における第１の演出および第２の演出とは異なる演出によって前記特定表示結果になることを報知する特別予告演出を実行するか否かを決定する特別予告決定手段と、
前記ステップアップ予告決定手段および前記特別予告決定手段の決定結果に基づいて前記ステップアップ予告演出および前記特別予告演出を実行する予告演出実行手段とを備え、
前記予告演出実行手段は、
前記ステップアップ予告決定手段により、前記第１パターンで前記ステップアップ予告演出を実行する旨が決定され、前記特別予告決定手段により前記特別予告演出を実行する旨が決定された場合に、前記所定タイミング以降に前記特別予告演出を実行することを特徴とする、遊技機。
【手続補正２】
【補正対象書類名】明細書
【補正対象項目名】０００７
【補正方法】変更
【補正の内容】
【０００７】
（１）  各々を識別可能な複数種類の識別情報を可変表示する可変表示部を備え、前記可変表示部における識別情報の表示結果が予め定められた特定表示結果となったときに、遊技者にとって有利な特定遊技状態に制御する遊技機であって、
前記特定表示結果とするか否かを、識別情報の表示結果が導出表示される以前に決定する事前決定手段と、
前記事前決定手段の決定結果に基づいて、前記特定表示結果になることを段階的に報知するステップアップ予告演出を実行するか否かを決定するとともに、該ステップアップ予告演出を実行することが決定されたときに、１回の可変表示中に第１の演出を実行する第１パターンと前記第１の演出を実行した後の所定タイミングから第２の演出を実行する第２パターンとのいずれにより該ステップアップ予告演出を実行するかを少なくとも決定するステップアップ予告決定手段と、
前記事前決定手段の決定結果に基づいて、前記ステップアップ予告演出における第１の演出および第２の演出とは異なる演出によって前記特定表示結果になることを報知する特別予告演出を実行するか否かを決定する特別予告決定手段と、
前記ステップアップ予告決定手段および前記特別予告決定手段の決定結果に基づいて前記ステップアップ予告演出および前記特別予告演出を実行する予告演出実行手段とを備え、
前記予告演出実行手段は、
前記ステップアップ予告決定手段により、前記第１パターンで前記ステップアップ予告演出を実行する旨が決定され、前記特別予告決定手段により前記特別予告演出を実行する旨が決定された場合に、前記所定タイミング以降に前記特別予告演出を実行する。
【手続補正３】
【補正対象書類名】明細書
【補正対象項目名】０００８
【補正方法】変更
【補正の内容】
【０００８】
このような構成によれば、ステップアップ予告決定手段により、第１パターンでステップアップ予告演出を実行する旨が決定され、特別予告決定手段により特別予告演出を実行する旨が決定された場合に、所定タイミング以降に前記特別予告演出が実行されるため、可変表示装置において効果的な予告を行なって遊技の興趣を向上させることができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
以下の（a）〜（c）のいずれかのタンパク質からなる転写因子と、任意の転写因子を転写抑制因子に転換する機能性ペプチドとを融合させたキメラタンパク質を植物内で発現させることで、個体あたりの物質生産性を有意に向上させる方法。
（a）配列番号４に示すアミノ酸配列を含むタンパク質
（b）配列番号４に示すアミノ酸配列において１又は複数個のアミノ酸が欠失、置換、付加又は挿入されたアミノ酸配列を含み、転写促進活性を有するタンパク質
（c）配列番号３に示す塩基配列の相補的な塩基配列からなるポリヌクレオチドに対してストリンジェントな条件下においてハイブリダイズするポリヌクレオチドによってコードされ転写促進活性を有するタンパク質
【請求項２】
上記転写因子の転写促進活性が抑制されていることを特徴とする請求項１記載の方法。
【請求項３】
上記キメラタンパク質が転写抑制因子活性をもつことを特徴とする請求項１記載の方法。
【請求項４】
上記機能性ペプチドが、次に示す式（１）〜（８）
（１）Ｘ１−Ｌｅｕ−Ａｓｐ−Ｌｅｕ−Ｘ２−Ｌｅｕ−Ｘ３
（但し、式中、Ｘ１は０〜１０個のアミノ酸残基を示し、Ｘ２はＡｓｎ又はＧｌｕを示し、Ｘ３は少なくとも６個のアミノ酸残基を示す。）
（２）Ｙ１−Ｐｈｅ−Ａｓｐ−Ｌｅｕ−Ａｓｎ−Ｙ２−Ｙ３
（但し、式中、Ｙ１は０〜１０個のアミノ酸残基を示し、Ｙ２はＰｈｅ又はＩｌｅを示し、Ｙ３は少なくとも６個のアミノ酸残基を示す。）
（３）Ｚ１−Ａｓｐ−Ｌｅｕ−Ｚ２−Ｌｅｕ−Ａｒｇ−Ｌｅｕ−Ｚ３
（但し、式中、Ｚ１はＬｅｕ、Ａｓｐ−Ｌｅｕ又はＬｅｕ−Ａｓｐ−Ｌｅｕを示し、Ｚ２はＧｌｕ、Ｇｌｎ又はＡｓｐを示し、Ｚ３は０〜１０個のアミノ酸残基を示す。）
（４）Ａｓｐ−Ｌｅｕ−Ｚ４−Ｌｅｕ−Ａｒｇ−Ｌｅｕ
（但し、式中、Ｚ４はＧｌｕ、Ｇｌｎ又はＡｓｐを示す。）
（５）α1−Ｌｅｕ−β1−Ｌｅｕ−γ1−Ｌｅｕ
（６）α1−Ｌｅｕ−β1−Ｌｅｕ−γ2−Ｌｅｕ
（７）α1−Ｌｅｕ−β2−Ｌｅｕ−Ａｒｇ−Ｌｅｕ
（８）α2−Ｌｅｕ−β1−Ｌｅｕ−Ａｒｇ−Ｌｅｕ
（但し、式（５）〜（８）中、α1はＡｓｐ、Ａｓｎ、Ｇｌｕ、Ｇｌｎ、Ｔｈｒ又はＳｅｒを示し、α2はＡｓｎ、Ｇｌｕ、Ｇｌｎ、Ｔｈｒ又はＳｅｒを示し、β1はＡｓｐ、Ｇｌｎ、Ａｓｎ、Ａｒｇ、Ｇｌｕ、Ｔｈｒ、Ｓｅｒ又はＨｉｓを示し、β2はＡｓｎ、Ａｒｇ、Ｔｈｒ、Ｓｅｒ又はＨｉｓを示し、γ1はＡｒｇ、Ｇｌｎ、Ａｓｎ、Ｔｈｒ、Ｓｅｒ、Ｈｉｓ、Ｌｙｓ又はＡｓｐを示し、γ2はＧｌｎ、Ａｓｎ、Ｔｈｒ、Ｓｅｒ、Ｈｉｓ、Ｌｙｓ又はＡｓｐを示す。）
のいずれかで表されるアミノ酸配列を有するものであることを特徴とする請求項１記載の方法。
【請求項５】
個体あたり物質生産性が種子に含まれる油脂の生産性であることを特徴とする請求項１記載の方法。
【請求項６】
上記植物が被子植物であることを特徴とする請求項１記載の方法。
【請求項７】
上記植物が双子葉植物であることを特徴とする請求項１記載の方法。
【請求項８】
上記植物がアブラナ科植物であることを特徴とする請求項１記載の方法。
【請求項９】
上記植物がシロイヌナズナであることを特徴とする請求項１記載の方法。
【手続補正書】
【提出日】平成24年3月16日(2012.3.16)
【手続補正１】
【補正対象書類名】明細書
【補正対象項目名】００１３
【補正方法】変更
【補正の内容】
【００１３】
本発明のアルカリプロテアーゼ生産菌は、グリシン濃度１％以上の培地条件下において培養中のｐＨ低下を起こしにくいことが好ましく、ｐＨ調整剤として炭酸ナトリウムを０．２％含む培地条件を用いた場合、培養２日後のｐＨ低下率が２５％以下であることがより好ましい。なお、ここでのｐＨ低下率は、培養開始前の培地ｐＨと、培養２日（４８時間）後の培地ｐＨをそれぞれ測定し、次式（１）により算出される。
ｐＨ低下率（％）＝[（培養開始前の培地ｐＨ）−（培養２日後の培地ｐＨ）]／（培養開始前の培地ｐＨ）×１００        （１）
【手続補正２】
【補正対象書類名】明細書
【補正対象項目名】００２８
【補正方法】変更
【補正の内容】
【００２８】
実施例１  [変異剤処理]
（１）親株としてバチルス・エスピーＫＳＭ−ＧＬＵ５１株（ＦＥＲＭ−Ｐ２１６０８）を用いて、以下の変異処理を行った。すなわち、凍結保存しておいたバチルス・エスピーＫＳＭ−ＧＬＵ５１株を表１の液体培地に接種し（植菌量０．１％）、１３時間前培養（３０℃、１２０ｒｐｍ）を行った後、同じ組成の培地に前培養液を接種し（植菌量０．５％）、三角培養フラスコ中にて３０℃で振とう培養を行った。菌の生育が対数増殖後期に入った時点（培養約１１時間後）の培養液から遠心分離（１００００ｒｐｍ、１０分間、４℃）で菌体を集め、表１の液体培地５０ｍｌに菌を懸濁した後、ＮＴＧを最終濃度２００μｇ／ｍｌになるように添加し、３０〜３７℃で約４５分間振とうを行った。遠心分離（２８００ｒｐｍ、３０分間、４℃）で菌体を集め、表１の液体培地２０ｍｌにて２回洗浄を行った。得られた菌液を生理食塩水で適当に希釈し、表２に示す平板培地に塗布した後、３０℃で３日間培養を行った。
生育したコロニーの周辺にスキムミルク溶解斑が明確に認められる菌を選抜し、プロテアーゼ組換え生産プラスミドによる形質転換後、種々のアルカリプロテアーゼ生産用液体培地を用いて、プロテアーゼの生産性を評価した。
得られた変異株をバチルス・エスピーＫＳＭ−ＰＨ４０１と命名し、平成２０年７月１８日付けで独立行政法人産業技術総合研究所  特許生物寄託センターにＦＥＲＭ  Ｐ−２１６０９として寄託した（特願２００９−０９５４４９参照）。
【手続補正３】
【補正対象書類名】明細書
【補正対象項目名】００３１
【補正方法】変更
【補正の内容】
【００３１】
（２）（１）で作製したバチルス・エスピーＫＳＭ−ＰＨ４０１株を親株として用いて以下の変異処理を行った。すなわち、凍結保存しておいたバチルス・エスピーＫＳＭ−ＰＨ４０１株を表１の液体培地に接種し（植菌量０．１％）、１３時間前培養（３０℃、１２０ｒｐｍ）を行った後、同じ組成の培地に前培養液を接種し（植菌量０．５％）、三角培養フラスコ中にて３０℃で振とう培養を行った。菌の生育が対数増殖後期に入った時点（培養約１１時間後）の培養液から遠心分離（１００００ｒｐｍ、１０分間、４℃）で菌体を集め、表１の液体培地５０ｍｌに菌を懸濁した後、ＮＴＧを最終濃度２００μｇ／ｍｌになるように添加し、３０〜３７℃で約６０分間振とうを行った。遠心分離（２８００ｒｐｍ、３０分間、４℃）で菌体を集め、表１の液体培地２０ｍｌにて２回洗浄を行った。
【手続補正書】
【提出日】平成23年11月16日(2011.11.16)
【手続補正１】
【補正対象書類名】明細書
【補正対象項目名】００３２
【補正方法】変更
【補正の内容】
【００３２】
演算処理部５１は、ＣＰＵ（セントラルプロセッシングユニット）などを有しており、機械位置検出部５２、パルス制御部５３、及び、センサ４５と接続されている。この演算処理部５１は、機械位置検出部５２から、対応するインナーロール３１の位置（機械角度）情報を随時入力しており、さらに、センサ４５から、合いマーク１０２を検出した旨の検出信号を入力すると、保持している缶胴１０１の位置ばらつき量を求め、この位置ばらつき量を補正するための制御情報をパルス制御部５３に出力する。
【手続補正２】
【補正対象書類名】明細書
【補正対象項目名】００５０
【補正方法】変更
【補正の内容】
【００５０】
次に、エンボス成形ターレット２は、図２に示すポイント（ホ）とポイント（ヘ）との間で、第一の成形が行われ（ステップＳ１０）、さらに、第二の成形が行われる（ステップＳ１１）。
なお、ポイント（ホ）における機械位置検出部５２のカウント数は、１７５０であり、また、ポイント（ヘ）における機械位置検出部５２のカウント数は、２２５０である。
【手続補正書】
【提出日】平成23年11月16日(2011.11.16)
【手続補正１】
【補正対象書類名】明細書
【補正対象項目名】発明の名称
【補正方法】変更
【補正の内容】
【発明の名称】洗浄媒体及び洗浄装置
【手続補正２】
【補正対象書類名】明細書
【補正対象項目名】０００１
【補正方法】変更
【補正の内容】
【０００１】
本発明は、洗浄対象物に付着した付着物を、水又は溶剤を使用せずに除去するための固体の洗浄媒体及び洗浄装置に関し、特に膜状の付着物を除去するのに好適な洗浄媒体及び洗浄装置に関する。
さらに具体的には、例えばはんだ付け工程で発生する膜状に固着したフラックスの洗浄装置、複写機又はレーザプリンタ等の画像形成装置の部品のリユース・リサイクルにおいて、感光体ドラムの感光体層、定着ローラの離型層又は固着トナーのような樹脂製の膜を除去する洗浄媒体及び洗浄装置に関する。
【手続補正３】
【補正対象書類名】明細書
【補正対象項目名】０００５
【補正方法】変更
【補正の内容】
【０００５】
本発明は、膜状の付着物に対して洗浄品質と洗浄効率を高めることができる洗浄媒体及び洗浄装置を提供すること目的とする。
また、複雑な形状の部品であっても、洗浄残しを発生することのない洗浄媒体及び洗浄装置を提供することを目的とする。
【手続補正４】
【補正対象書類名】明細書
【補正対象項目名】０００６
【補正方法】変更
【補正の内容】
【０００６】
上記目的を達成するために、本発明は、薄片状の洗浄媒体に、付着物にエッジ部で食い込んで削り取るとともに、適宜に折れることによってエッジの食い込み性を回復させる機能を付与することとした。
具体的には、請求項１に記載の発明は、薄片形状の洗浄媒体を飛翔させ、前記洗浄媒体が洗浄対象物に繰り返し衝突して、前記洗浄対象物に付着した付着物の洗浄に用いられる洗浄媒体であって、前記洗浄媒体は、少なくとも一方の面に溝部を有し、前記衝突を繰り返した場合に、前記溝部で前記洗浄媒体の一部が折れて、該折れた部位に新たなエッジが形成され、これが繰り返されることを特徴とする。
【手続補正５】
【補正対象書類名】明細書
【補正対象項目名】０００７
【補正方法】変更
【補正の内容】
【０００７】
請求項２に記載の発明は、請求項１に記載の洗浄媒体において、前記洗浄媒体は、複数の異なる厚さの洗浄媒体から構成されていることを特徴とする。
請求項３に記載の発明は、請求項１に記載の洗浄媒体において、前記洗浄媒体は、複数の異なる形状の洗浄媒体から構成されていることを特徴とする。
請求項４に記載の発明は、請求項１に記載の洗浄媒体において、複数の異なる大きさの洗浄媒体から構成されていることを特徴とする。
請求項５に記載の発明は、洗浄装置において、請求項１乃至４のいずれか１に記載の洗浄媒体を用いて、前記洗浄対象物を洗浄することを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明によれば、洗浄媒体のエッジが常に維持されることで洗浄能力を維持することができる。洗浄媒体のエッジが維持されることにより洗浄媒体衝突時の食い込み量が低下しないため、洗浄媒体の膜状の付着物を除去する能力が径時劣化しないという効果がある。
【手続補正８】
【補正対象書類名】明細書
【補正対象項目名】００１１
【補正方法】変更
【補正の内容】
【００１１】
以下、本発明の実施形態を図を参照して説明する。なお、洗浄媒体については、図９乃至図２０以外は参考例として示す。
図１は、本実施形態に係る洗浄装置の構成を示す図である。図１（ａ）は洗浄装置の正面断面図、図１（ｂ）は図１（ａ）のＡ−Ａ線での断面図、図１（ｃ）は洗浄装置の上面図である。
図１（ａ）乃至（ｃ）において符号１は洗浄装置、２は洗浄槽ユニット、３は保持手段、４は洗浄対象物、６は洗浄槽、７は洗浄媒体加速手段、８は洗浄媒体再生手段、９は洗浄槽本体、１０は分離手段、Ｍは洗浄媒体をそれぞれ示している。
洗浄装置１は、保持手段３で保持された洗浄対象物４に付着する付着物を気流により飛翔する洗浄媒体Ｍを衝突させることで除去するものである。
洗浄槽ユニット２は、洗浄槽６、洗浄媒体加速手段７及び洗浄媒体再生段８を有する。
洗浄槽６は、洗浄槽本体９と分離手段１０を有する。洗浄槽本体９は、両側が封止された半円筒形、長方形、又は角錐形状のいずれかの形状で形成され、上部に開口部を有している。分離手段１０は、気体と除去された付着物とを通過させることができるが、洗浄媒体Ｍが通り抜けることのできない小孔又はスリットを多数有している。
分離手段１０は、例えば、金網、プラスチック網、メッシュ、パンチメタル又はスリット板等の多孔性部材であり、洗浄媒体Ｍが滞留しない滑らかな形状（例えば、半円筒形）に形成され、洗浄槽本体９の内部に洗浄槽本体９の内面と一定間隔を隔てて設けられている。
【手続補正９】
【補正対象書類名】明細書
【補正対象項目名】００３０
【補正方法】変更
【補正の内容】
【００３０】
図９は、本発明の実施形態に係る洗浄媒体の形状を示す図である。図１０乃至図２０は洗浄媒体の変形例を示す図である。
図９に示されるように、洗浄媒体の少なくとも一方の面に洗浄媒体の端部まで通じた断面が矩形状の溝部を有する。
洗浄媒体の作製方法としては、図１０に示されるように、溝が形成されているテープを電子テープカッター等によりカットして複数の洗浄媒体Ｍを作製する方法が挙げられる。
テープの溝部が折り取り線の役割を果たし、衝突時の応力が集中し易い。そのため、洗浄対象物への衝突を繰り返した場合に、脆性破壊し易い箇所となる。図１１に示されるように、付着物が洗浄媒体端部に静電付着等で蓄積したとしても、溝部における脆性破壊により洗浄媒体には新たな端部が生成される。なお、洗浄媒体の破面端部の塑性変形が小さいため、端部における接触力の分散は生じにくい。
図１２は両面に溝部を有する洗浄媒体の斜視図で、図１３はその側面図である。
図１４乃至図１９における洗浄媒体の溝部は断面が矩形状ではないが、本発明ではこれらの凹部も溝として扱っている。
【手続補正１０】
【補正対象書類名】特許請求の範囲
【補正対象項目名】全文
【補正方法】変更
【補正の内容】
【特許請求の範囲】
【請求項１】
薄片形状の洗浄媒体を飛翔させ、
前記洗浄媒体が洗浄対象物に繰り返し衝突して、
前記洗浄対象物に付着した付着物の洗浄に用いられる洗浄媒体であって、
前記洗浄媒体は、
少なくとも一方の面に溝部を有し、前記衝突を繰り返した場合に、前記溝部で前記洗浄媒体の一部が折れて、該折れた部位に新たなエッジが形成され、
これが繰り返されることを特徴とする洗浄媒体。
【請求項２】
前記洗浄媒体は、複数の異なる厚さの洗浄媒体から構成されていることを特徴とする請求項１に記載の洗浄媒体。
【請求項３】
前記洗浄媒体は、複数の異なる形状の洗浄媒体から構成されていることを特徴とする請求項１に記載の洗浄媒体。
【請求項４】
前記洗浄媒体は、複数の異なる大きさの洗浄媒体から構成されていることを特徴とする請求項１に記載の洗浄媒体。
【請求項５】
請求項１乃至４のいずれか１に記載の洗浄媒体を用いて、前記洗浄対象物を洗浄することを特徴とする洗浄装置。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
負荷に流れる電流を制御する第１のトランジスタと、
前記第１のトランジスタに流れる電流に応じた電流が流れる第２のトランジスタと、
前記第２のトランジスタに流れる電流に基づいて決定される比較電圧と、所定の基準電圧と、に基づいて前記第１及び前記第２のトランジスタに流れる電流を制御するための第１の制御信号を出力する第１のアンプと、
前記第１のトランジスタの第１の端子の電位と、前記第２のトランジスタの第１の端子の電位と、を等しくするように第２の制御信号を出力する第２のアンプと、
前記第２のトランジスタに直列に接続され、前記第２の制御信号に基づいて前記第２のトランジスタに流れる電流を制御する第３のトランジスタと、を備えた電流制御回路であって、
前記第１のアンプは、
前記第１及び前記第２のトランジスタが飽和領域で動作するように前記第１の制御信号を出力する電流制御回路。
【手続補正書】
【提出日】平成24年5月31日(2012.5.31)
【手続補正１】
【補正対象書類名】明細書
【補正対象項目名】０００３
【補正方法】変更
【補正の内容】
【０００３】
まず、被検体に造影剤が注入され、造影剤が診断部位に行き渡るまでの透視画像を所定のレート周波数によって取得する。次に、各画素値の最小値を時間軸方向にトレースする処理、すなわちボトムトレース処理（ボトムホールド処理とも言う）を実行することにより、ロードマップ用マスク像を生成する。その後、カテーテル操作をしながら、実際のカテーテルを進めていく際のライブ画像を取得し、これとロードマップ用マスク像とを用いてサブトラクション処理をリアルタイムにて実行することで、透視ロードマップが作成・表示される。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
所定の基板に形成された複数の導線の先端に各々形成される立体的な電極と、
前記複数の導線を介して前記電極から電気刺激パルス信号を出力させるための制御手段と、
を備える視覚再生補助装置において、
絶縁性の材料からなり前記電極の側面と間隙を有した状態で前記電極の周縁に配置される遮蔽部材であって、前記電極表面から放出される電気刺激パルス信号を前記電極上方へ向けて放出するための開口を有する遮蔽部材と、
を有することを特徴とする視覚再生補助装置。
【請求項２】
請求項１の視覚再生補助装置において、前記遮蔽部材は生体適合性を有する樹脂材料からなり前記基板上に形成されていることを特徴とする視覚再生補助装置。
【請求項３】
請求項１乃至２の視覚再生補助装置において、
前記開口は前記遮蔽部材の上面の一部に形成されていることを特徴とする視覚再生補助装置。
【手続補正２】
【補正対象書類名】明細書
【補正対象項目名】０００８
【補正方法】変更
【補正の内容】
【０００８】
（１）  所定の基板に形成された複数の導線の先端に各々形成される立体的な電極と、
前記複数の導線を介して前記電極から電気刺激パルス信号を出力させるための制御手段と、
を備える視覚再生補助装置において、
絶縁性の材料からなり前記電極の側面と間隙を有した状態で前記電極の周縁に配置される遮蔽部材であって、前記電極表面から放出される電気刺激パルス信号を前記電極上方へ向けて放出するための開口を有する遮蔽部材と、
を有することを特徴とする視覚再生補助装置。
（２）  （１）の視覚再生補助装置において、前記遮蔽部材は生体適合性を有する樹脂材料からなり前記基板上に形成されていることを特徴とする視覚再生補助装置。
（３）  （１）乃至（２）の視覚再生補助装置において、
前記開口は前記遮蔽部材の上面の一部に形成されていることを特徴とする視覚再生補助装置。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
所定の遊技動作の発生を示す検出信号に起因して抽選処理を実行し、遊技者に有利な遊技状態を発生させるか否かを決定する遊技機であって、
遊技動作を中心統括的に制御する主制御部と、前記主制御部から出力される払出動作用の制御コマンドに基づいて遊技媒体を払出す払出制御部と、前記主制御部から出力される演出動作用の制御コマンドに基づいて演出動作を実行する演出制御部と、交流電圧を受けて前記各制御部で使用される複数種類の直流電圧を生成する電源部と、を有して構成され、
前記主制御部及び／又は前記払出制御部には、
電源投入時、前記電源部から受けた直流電圧が正常レベルに達した後、更に第一遅延時間だけＯＮレベルを維持した後にＯＦＦレベルに変化する第一リセット信号を出力して、データ入出力用ＩＣをリセットするリセット回路が設けられていることを特徴とする遊技機。
【手続補正２】
【補正対象書類名】明細書
【補正対象項目名】００１１
【補正方法】変更
【補正の内容】
【００１１】
上記の目的を達成するため、本発明は、所定の遊技動作の発生を示す検出信号に起因して抽選処理を実行し、遊技者に有利な遊技状態を発生させるか否かを決定する遊技機であって、遊技動作を中心統括的に制御する主制御部と、前記主制御部から出力される払出動作用の制御コマンドに基づいて遊技媒体を払出す払出制御部と、前記主制御部から出力される演出動作用の制御コマンドに基づいて演出動作を実行する演出制御部と、交流電圧を受けて前記各制御部で使用される複数種類の直流電圧を生成する電源部と、を有して構成され、前記主制御部及び／又は前記払出制御部には、電源投入時、前記電源部から受けた直流電圧が正常レベルに達した後、更に第一遅延時間だけＯＮレベルを維持した後にＯＦＦレベルに変化する第一リセット信号を出力して、データ入出力用ＩＣをリセットするリセット回路が設けられている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】